(57)【要約】【課題】カードが曲げられた場合には、ＬＳＩの実装部外周に発生する曲げ応力を分散させて被覆材の破損を防止できるようにする。【解決手段】無線用のＬＳＩ３及びアンテナを配設する基板２と、この基板２さらにＬＩＳ３及びアンテナを被覆する表面シート１０及び裏面シート１１と、ＬＩＳ３の一面側に基体２を介して設けられる第１の補強ＳＵＳ箔７と、ＬＳＩ３の他面側に設けられる第２の補強ＳＵＳ箔８とを具備し、第１の補強ＳＵＳ箔７はＬＳＩ３よりも外形寸法を大とし、その外周部７ａをＬＳＩ３の外周部から外方に突出させる。【選択図】    図２
2004341720.tif 000002
【特許請求の範囲】
【請求項１】
無線用の電子部品及びアンテナを配設する基体と、
この基体、さらに前記電子部品及びアンテナを被覆する被覆材と、
前記電子部品の一面側に前記基体を介して設けられる第１の補強体と、
前記電子部品の他面側に設けられる第２の補強体とを具備し、
前記第１の補強体は前記電子部材よりも外形寸法を大とし、その外周部を前記電子部品の外周部から外方に突出させることを特徴とする無線カード。
【請求項２】
前記第１の補強体の外形寸法は、前記電子部品の外形寸法にカード厚さの４倍以上の寸法を加えた値であることを特徴とする請求項１記載の無線カード。
【請求項３】
無線用の電子部品及びアンテナを配設する基体と、
この基体、さらに前記電子部品及びアンテナを被覆する被覆材と、
前記電子部品の一面側に前記基体を介して設けられる第１の補強体と、
前記電子部品の他面側に設けられる第２の補強体と、
この第２の補強体と前記被覆材との間に設けられ、外形寸法を前記電子部材よりも大とし、その外周部を前記電子部品の外周部から外方に突出させる第３の補強体とを具備することを特徴とする無線カード。
【請求項４】
無線用の電子部品及びアンテナを配設する基体と、
この基体、さらに前記電子部品及びアンテナを被覆する被覆材と、
前記電子部品の一面側の両側部に前記基体を介してそれぞれ設けられる一対の第１の補強体と、
前記電子部品の他面側に設けられる第２の補強体とを具備し、
前記一対の第１の補強体はその一部を前記電子部材の両側部から外方へ突出させることを特徴とする無線カード。
【請求項５】
前記第１の補強体の前記電子部品からの突出寸法は、カード厚さの２倍以上の寸法であることを特徴とする請求項４記載の無線カード。
【請求項６】
無線用の電子部品及びアンテナを配設する基体と、
この基体、さらに前記電子部品及びアンテナを被覆する被覆材と、
前記電子部品の一面側に前記基体を介して設けられる第１の補強体と、
前記電子部品の他面側に設けられる第２の補強体と、
前記電子部品の周囲部に設けられたクッション材と、
を具備することを特徴とする無線カード。
【発明の詳細な説明】
【０００１】
【発明の属する技術分野】
本発明は、例えば、定期券や証明カード等として適用される無線カードに関する。
【０００２】
【従来の技術】
この種の無線カードとしては、例えば、図１０に示すようなものが知られている。
即ち、図中１０１はカード基板で、このカード基板１０１上には電子部品としてのＬＳＩ１０２及びアンテナパタン（図示せず）等が配設されている。
【０００３】
カード基板１０１とＬＳＩ１０２等は、表面シート１０６と裏面シート１０７とにより被覆されている。表面シート１０６と裏面シート１０７との間には充填材１０９が充填されている。
【０００４】
ところで、ＬＳＩ１０２の実装部の強度を増すために、ＬＳＩ１０２の下面側にはカード基板１０１を介して第１の補強体としての第１の補強ＳＵＳ箔１０３が設けられ、ＬＳＩ１０２の上面側には直接第２の補強体としての第２の補強ＳＵＳ箔１０４が設けられている。第１及び第２の補強ＳＵＳ箔１０３，１０４は、ＬＳＩ１０２とほぼ同サイズで厚さ２０μｍとなっている。
【０００５】
【発明が解決しようとする課題】
しかしながら、従来においては、ＬＳＩ１０２の実装部に第１及び第２の補強ＳＵＳ箔１０３，１０４を接着することで強度は増したが、この補強された部分と、ＬＳ１１０２の実装部外周の補強がなされていない部分との間の強度差が大き過ぎたため、図１１に示すように、カードが曲げられたときにＬＳ１実装部の外周に曲げ応力が集中し、カードの表面シート１０６が破れてしまうという問題があった。
【０００６】
本発明は、上記事情に着目してなされたもので、その目的とするところは、カードが曲げられた場合には、電子部品の実装部外周部に発生する曲げ応力を分散させて被覆材の破損を防止できるようにした無線カードを提供することを目的とする。
【０００７】
【課題を解決するための手段】
上記した課題を解決するため、請求項１記載のものは、無線用の電子部品及びアンテナを配設する基体と、この基体、さらに前記電子部品及びアンテナを被覆する被覆材と、前記電子部品の一面側に前記基体を介して設けられる第１の補強体と、前記電子部品の他面側に設けられる第２の補強体とを具備し、前記第１の補強体は前記電子部材よりも外形寸法を大とし、その外周部を前記電子部品の外周部から外方に突出させる。
【０００８】
請求項３記載のものは、無線用の電子部品及びアンテナを配設する基体と、この基体、さらに前記電子部品及びアンテナを被覆する被覆材と、前記電子部品の一面側に前記基体を介して設けられる第１の補強体と、前記電子部品の他面側に設けられる第２の補強体と、この第２の補強体と前記被覆材との間に設けられ、外形寸法を前記電子部材よりも大とし、その外周部を前記電子部品の外周部から外方に突出させる第３の補強体とを具備する。
【０００９】
請求項４記載のものは、無線用の電子部品及びアンテナを配設する基体と、この基体、さらに前記電子部品及びアンテナを被覆する被覆材と、前記電子部品の一面側の両側部に前記基体を介してそれぞれ設けられる一対の第１の補強体と、前記電子部品の他面側に設けられる第２の補強体とを具備し、前記一対の第１の補強体はその一部を前記電子部材の両側部から外方へ突出させる。
【００１０】
請求項６記載のものは、無線用の電子部品及びアンテナを配設する基体と、この基体、さらに前記電子部品及びアンテナを被覆する被覆材と、前記電子部品の一面側に前記基体を介して設けられる第１の補強体と、前記電子部品の他面側に設けられる第２の補強体と、前記電子部品の周囲部に設けられたクッション材とを具備する。
【００１１】
【発明の実施の形態】
以下、本発明を図面に示す実施の形態を参照して詳細に説明する。
図１は、本発明の一実施の形態である無線カード１を示す平面図で、図２は図１中のＡ−Ａ線に沿って示す断面図である。
【００１２】
無線カード１は基体としての基板２を有し、この基板２の材料としては、例えば、厚さ０．０５ｍｍのポリエチレンテレフタレート（以下、ＰＥＴという）が用いられる。この基板２の上面部には電子部品としてのＬＳＩ３が実装されているとともに、アンテナパタン４が設けられている。アンテナパタン４は例えば、厚さ０．０１２ｍｍのアルミ箔をエッチングして形成される。
【００１３】
アンテナパタン４の両端子４ａ，４ｂはＬＳＩ３のバンプ５ａ，５ｂにフリップチップ方式で接続される。ＬＳＩ３はＡＣＦ６を介して基板２に電気的に接続されている。
【００１４】
ＬＳＩ３の下面側には、基板２を介してＬＳＩ３よりも大きな外形寸法を有する厚さ１００μｍの第１の補強体としての第１の補強ＳＵＳ箔７が接着されている。この第１の補強ＳＵＳ箔７の外形寸法は、ＬＳ１３の寸法にカード１の厚さ寸法の４倍の寸法を加えたものであり、その外周部はＬＳＩ３の外周部から外方に突出されている。
【００１５】
ＬＳＩ３の上面側にはＬＳＩ３とほぼ同サイズで厚さ２０μｍの第２の補強体としての第２の補強ＳＵＳ箔８が接着により一体化されている。
基板２、ＬＩＳ３及びアンテナパタン４は被覆材としての表面シート１０と裏面シート１１とにより被覆されている。表面シート１０と裏面シート１１との間には充填材１２が充填されている。
【００１６】
このように構成される無線カード１は、カード外部から供給される電波を電力に変換してＬＳＩ３を動作させ、残りの電力でレスポンスを返して非接触でデータ通信を可能とする。
ところで、無線カード１はその使用時等に誤って例えば図３に示すように曲げられてしまうことがある。このとき、無線カード１には曲げ応力が発生するが、第１の補強ＳＵＳ箔７がＬＳＩ３よりも大きな外形寸法を有し、その外周部７ａをＬＳＩ３の外周部から外方に突出させているため、この外周部７ａが無線カード１の曲がりの抵抗として機能する。
【００１７】
従って、ＬＳＩ３の上面側の角部で無線カード１が急激に湾曲することがなく、曲げ応力が分散され、表面シート１０に対し損傷（クラック）を与えることがない。
【００１８】
図４及び図５は、本発明の第２の実施の形態である無線カード１５を示すものである。
なお、上記した第１の実施の形態で示した部分と同一部分については同一番号を付して省略する。
【００１９】
この実施の形態では、ＬＳＩ３の第２の補強ＳＵＳ箔８と表面シート１０との間に第３の補強体としての第３の補強ＳＵＳ箔１６が設けられている。第３の補強ＳＵＳ箔１６は、厚さが２０μｍで、ＬＳ１３の外形寸法よりも大きな外形寸法を有し、その外周部１６ａはＬＳＩ３の外周部から外方に突出されている。
【００２０】
このように構成される無線カード１５が例えば、図５に示すように曲げられると、無線カード１５には曲げ応力が発生するが、ＬＳＩ３と表面シート１０との間には第３の補強ＳＵＳ箔１６が介在され、その外周部１６ａがＬＳＩ３の外周部から外方に突出されてるため、外周部１６ａが無線カード１５の曲がりの抵抗として機能する。
【００２１】
従って、ＬＳＩ３の上面側の角部で無線カード１５が急激に湾曲することがなく、曲げ応力が分散され、表面シート１０に対し損傷（クラック）を与えることがない。
【００２２】
図６及び図７は、本発明の第３の実施の形態である無線カード２０を示すものである。
なお、上記した第１の実施の形態で示した部分と同一部分については同一番号を付して省略する。
【００２３】
この実施の形態では、ＬＳＩ３の下面側に設けられる第１の補強体が一対の補強ＳＵＳ箔２１，２２によって構成されている。
一対の補強ＳＵＳ箔２１，２２は、厚さが２０μｍで、その一部２１ａ，２２ａをＬＳＩ３の角部から外方に突出させ、その突出寸法は、カード厚さの２倍の寸法となっている。
【００２４】
このように構成される無線カード２０が例えば、図７に示すように曲げられると、無線カード２０には曲げ応力が発生するが、一対の補強ＳＵＳ箔２１，２２がその一部２１ａ，２２をＬＳＩ３の角部から外方に突出させるため、この突出部２１ａ，２２ａが無線カード１の曲がりの抵抗として機能する。
【００２５】
従って、無線カード２０がＬＳＩ３の上面側の角部で急激に湾曲することがなく、曲げ応力が分散され、表面シート１０に対し損傷（クラック）を与えることがない。
【００２６】
図８及び図９は、本発明の第４の実施の形態である無線カード２５を示すものである。
なお、上記した第１の実施の形態で示した部分と同一部分については同一番号を付して省略する。
【００２７】
この実施の形態では、ＬＳＩ３の外周部にクッション材２６を設けている。
このように構成される無線カード２５が例えば、図９に示すように曲げられると、無線カード２５には曲げ応力が発生するが、ＬＳＩ３の外周部にはクッション材２６が設けられているため、無線カード２０がＬＳＩ３の上面側の角部で急激に湾曲することがなく、応力集中が緩和され、表面シート１０に対し損傷（クラック）を与えることがない。
【００２８】
その他、本発明はその要旨の範囲内で種々変形実施可能なことは勿論である。
【００２９】
【発明の効果】
以上説明したように、本発明によれば、カードが曲げられても電子部品実装部の外周部への応力集中を避けることができ、被覆部材の破損を防止することができるという効果を奏する。
【図面の簡単な説明】
【図１】本発明の第１の実施の形態である無線カードを示す平面図。
【図２】図１中Ａ―Ａ線に沿って示す断面図。
【図３】図１の無線カードが曲げられた状態を示す断面図。
【図４】本発明の第２の実施の形態である無線カードを示す断面図。
【図５】図４の無線カードが曲げられた状態を示す断面図。
【図６】本発明の第３の実施の形態である無線カードを示す断面図。
【図７】図６の無線カードが曲げられた状態を示す断面図。
【図８】本発明の第４の実施の形態である無線カードを示す断面図。
【図９】図８の無線カードが曲げられた状態を示す断面図。
【図１０】従来の無線カードを示す断面図。
【図１１】図１０の無線カードが曲げられた状態を示す断面図。
【符号の説明】
２…基板（基体）、３…ＬＳＩ（電子部品）、４…アンテナパターン（アンテナ）、７…第１の補強ＳＵＳ箔（第１の補強体）、８…第２の補強ＳＵＳ箔（第２の補強体）、１０…表面シート（被覆材）、１１…裏面シート（被覆材）、１６…第２の補強ＳＵＳ箔（第３の補強体）、２１，２２…一対の補強ＳＵＳ箔（一対の第１の補強体）、２６…クッション材。
【図１】
2004341720.tif 000003
【図２】
2004341720.tif 000004
【図３】
2004341720.tif 000005
【図４】
2004341720.tif 000006
【図５】
2004341720.tif 000007
【図６】
2004341720.tif 000008
【図７】
2004341720.tif 000009
【図８】
2004341720.tif 000010
【図９】
2004341720.tif 000011
【図１０】
2004341720.tif 000012
【図１１】
2004341720.tif 000013